(57)【特許請求の範囲】
【請求項１】
１つの方向である第１電極方向に沿って延びる帯形状を有し、かつ、前記第１電極方向と交差する方向である第２電極方向に沿って第１隙間を空けて並ぶ複数の第１電極と、
前記第２電極方向に沿って延びる帯形状を有し、かつ、前記第１電極方向に沿って第２隙間を空けて並び、複数の前記第１電極の各々と立体的に交差する複数の第２電極とを備え、
複数の前記第１電極の各々は、１つの方向である第１線方向に沿って延びる直線形状を有する線分である複数の第１主線と、前記第１線方向と交差する方向である第２線方向に沿って延びる直線形状を有した線分である複数の第１副線とを含み、
複数の前記第２電極の各々は、前記第２線方向に沿って延びる直線形状を有する線分である複数の第２主線と、前記第１線方向に沿って延びる直線形状を有した線分である複数の第２副線とを含み、
複数の前記第２電極を含む平面と対向する平面視において、複数の前記第１主線、複数の前記第１副線、複数の前記第２主線、及び、前記第２副線は、四角形状を有する単位格子の繰返しである格子パターンを構成し、
前記第１電極の各々は、前記第１主線と前記第１副線との交差によって形成される複数の第１交差点を有し、
前記第２電極の各々は、前記第２主線と前記第２副線との交差によって形成される複数の第２交差点を有し、
複数の前記第１主線及び複数の前記第１副線の少なくとも何れかは、前記第１交差点から先に延びる第１末端線分を含み、
複数の前記第２主線及び複数の前記第２副線の少なくとも何れかは、前記第２交差点から先に延びる第２末端線分を含み、
前記第１電極と前記第２電極とが立体的に交差する領域である検出領域全体の７０％以上の領域であって、前記検出領域の外周部よりも内側の領域において、前記第１末端線分及び前記第２末端線分の全ての長さは、前記単位格子の一辺を１ピッチとしたときに、２ピッチ以下の長さであり、複数の前記第１末端線分及び複数の前記第２末端線分のいくつかの長さは、１ピッチまたは１／２ピッチ以下の長さであるタッチセンサ用電極。
【請求項２】
端部が前記第１電極の前記第１隙間に臨む前記第１主線と交差する前記第１副線の前記第１末端線分の少なくとも１つ、及び、端部が前記第２電極の前記第２隙間に臨む前記第２主線と交差する前記第２副線の前記第２末端線分の少なくとも１つ
の少なくとも何れかが、２ピッチ以下の長さとなっている
請求項１に記載のタッチセンサ用電極。
【請求項３】
複数の前記第１電極と複数の前記第２電極とにおいて互いに重なる部分は容量検出部であり、
互いに隣接する２つの前記容量検出部に跨る前記第１主線の両端部の前記第１末端線分の少なくとも１つ、及び、互いに隣接する２つの前記容量検出部に跨る前記第２主線の両端部の前記第２末端線分の少なくとも１つ
の少なくとも何れかが、２ピッチ以下の長さとなっている
請求項１又は２に記載のタッチセンサ用電極。
【請求項４】
少なくとも１つの前記第１副線の両端部の前記第１末端線分の少なくとも１つ、及び、少なくとも１つの前記第２副線の両端部の前記第２末端線分の少なくとも１つ
の少なくとも何れかが、２ピッチ以下の長さとなっている
請求項１〜３の何れか１項に記載のタッチセンサ用電極。
【請求項５】
前記単位格子は、正方形である
請求項１〜４の何れか１項に記載のタッチセンサ用電極。
【請求項６】
複数の第１電極と、複数の第２電極と、複数の前記第１電極と複数の前記第２電極との間に挟まれる透明誘電体層と、を備えるタッチセンサ用電極と、
前記タッチセンサ用電極を覆うカバー層と、
前記第１電極と前記第２電極との間の静電容量を測定する周辺回路とを備え、
前記タッチセンサ用電極は、
請求項１から５の何れか１項に記載のタッチセンサ用電極である
タッチパネル。
【請求項７】
情報を表示する表示パネルと、
前記表示パネルの表示する前記情報を透過するタッチパネルと、
前記タッチパネルを駆動する駆動回路とを備え、
前記タッチパネルは、請求項６に記載のタッチパネルである
表示装置。
【発明の詳細な説明】
【技術分野】
【０００１】
本発明は、複数の電極の各々が複数の電極線を備えるタッチセンサ用電極、タッチパネル、及び、表示装置に関する。
【背景技術】
【０００２】
電子機器の入力デバイスとしてタッチパネルが広く用いられている。タッチパネルは、第１面と第２面とを有した透明誘電体層を備え、透明誘電体層の第１面には、Ｘ方向に沿って延びる帯形状を有した複数の第１電極が位置し、透明誘電体層の第２面には、Ｘ方向に対して直交するＹ方向に沿って延びる帯形状を有した複数の第２電極が位置している。タッチパネルは、１つの第１電極と複数の第２電極の各々との間における静電容量の変化が第１電極ごとに検出されて、タッチパネルの操作面における指の位置が検出される。第１電極や第２電極を形成する材料には、電極ごとの抵抗値を下げるために、銀や銅等の金属が用いられている（例えば、特許文献１参照）。
【先行技術文献】
【特許文献】
【０００３】
【特許文献１】特開２０１３−１５６７２５号公報
【発明の概要】
【発明が解決しようとする課題】
【０００４】
ところで、タッチパネルを構成する複数の電極の各々は、静電容量の変化を検出するための導電性に加えて、タッチパネルの操作面に像を出力するための光透過性を求められている。複数の電極の各々は、相互に間隔を空けて並ぶ複数の電極線の集合として構成されて、相互に隣り合う電極線の隙間において上述した光透過性を有している。
【０００５】
一般に、タッチパネルは、指やスタイラスペンを用いてタッチ操作がされる。スタイラスペンを用いた場合には、静電容量の変化が指でタッチした場合より小さいことが知られている。
【０００６】
電極を構成する電極線がエッチング不良等によってクラックが形成されていると、クラックの部分は、タッチパネルが繰り返し使用されるうちに、断線してしまうことがある。断線箇所は、相対する端部が近接しているため、使用状況によって、端部同士の電気的な接続や非接続の繰り返しが発生する。端部同士の電気的な接続や非接続が発生したときには、使用者が実際に指やスタイラスペンがタッチ操作をしなくても、静電容量が変化してしまう。断線箇所において、静電容量の変化が発生すると、タッチパネルの検出回路は、この静電容量の変化を検出してしまい、その位置でタッチ操作が行われたと判断してしまう。スタイラスペンでのタッチ操作を検出できるように、静電容量の変化量の閾値を低く設定しているときには、実際には使用者によってタッチ操作が行われていないのに、容量変化が閾値を超えてしまい、誤検出が発生してしまうことがある。
【０００７】
本発明は、誤検出を抑制することができるタッチセンサ用電極、タッチパネル、及び、表示装置を提供することを目的とする。
【課題を解決するための手段】
【０００８】
以上のような課題を解決するタッチセンサ用電極は、１つの方向である第１電極方向に沿って延びる帯形状を有し、かつ、前記第１電極方向と交差する方向である第２電極方向に沿って第１隙間を空けて並ぶ複数の第１電極と、前記第２電極方向に沿って延びる帯形状を有し、かつ、前記第１電極方向に沿って第２隙間を空けて並び、複数の前記第１電極の各々と立体的に交差する複数の第２電極とを備える。複数の前記第１電極の各々は、１つの方向である第１線方向に沿って延びる直線形状を有する線分である複数の第１主線と、前記第１線方向と交差する方向である第２線方向に沿って延びる直線形状を有した線分である複数の第１副線とを含む。また、複数の前記第２電極の各々は、前記第２線方向に沿って延びる直線形状を有する線分である複数の第２主線と、前記第１線方向に沿って延びる直線形状を有した線分である複数の第２副線とを含む。複数の前記第２電極を含む平面と対向する平面視において、複数の前記第１主線、複数の前記第１副線、複数の前記第２主線、及び、前記第２副線は、四角形状を有する単位格子の繰返しである格子パターンを構成する。前記第１電極の各々は、前記第１主線と前記第１副線との交差によって形成される複数の第１交差点を有し、前記第２電極の各々は、前記第２主線と前記第２副線との交差によって形成される複数の第２交差点を有する。複数の前記第１主線及び複数の前記第１副線の少なくとも何れかは、前記第１交差点から先に延びる第１末端線分を含み、複数の前記第２主線及び複数の前記第２副線の少なくとも何れかは、前記第２交差点から先に延びる第２末端線分を含む。そして、前記第１電極と前記第２電極とが立体的に交差する領域である検出領域全体の７０％以上の領域において、前記第１末端線分及び前記第２末端線分の長さは、前記単位格子の一辺を１ピッチとしたときに、２ピッチ以下の長さとなっている。
【０００９】
以上のような構成によれば、前記第１末端線分及び前記第２末端線分の長さは、前記単位格子の一辺を１ピッチとしたときに、２ピッチ以下の長さとなっている。したがって、前記第１交差点や前記第２交差点の部分で断線し、端部同士の接続や非接続が度々発生したとしても、その際の静電容量の変化を小さくすることができる。したがって、誤検出を抑制することができる。
【００１０】
前記タッチパネルにおいて、さらに、端部が前記第１電極の前記第１隙間に臨む前記第１主線と交差する前記第１副線の前記第１末端線分の少なくとも１つ、及び、端部が前記第２電極の前記第２隙間に臨む前記第２主線と交差する前記第２副線の前記第２末端線分の少なくとも１つの少なくとも何れかが、２ピッチ以下の長さとなっていることが好ましい。
【００１１】
前記タッチパネルにおいて、さらに、複数の前記第１電極と複数の前記第２電極とにおいて互いに重なる部分は容量検出部である。そして、互いに隣接する２つの前記容量検出部に跨る前記第１主線の両端部の前記第１末端線分の少なくとも１つ、及び、互いに隣接する２つの前記容量検出部に跨る前記第２主線の両端部の前記第２末端線分の少なくとも１つの少なくとも何れかが、２ピッチ以下の長さとなっていることが好ましい。
【００１２】
前記タッチパネルにおいて、さらに、少なくとも１つの前記第１副線の両端部の前記第１末端線分の少なくとも１つ、及び、少なくとも１つの前記第２副線の両端部の前記第２末端線分の少なくとも１つの少なくとも何れかが、２ピッチ以下の長さとなっていることが好ましい。
【００１３】
前記タッチパネルにおいて、さらに、前記検出領域全体の７０％以上の領域は、前記検出領域の外周部を除く領域で構成されていることが好ましい。
以上のような構成では、前記外周部以外の領域が使用者にタッチ操作される領域となり、この領域で、検出感度を高めておく必要があり、その分、誤検出の可能性も高くなる。そこで、外周部を除く領域において、前記第１末端線分及び前記第２末端線分の長さを、２ピッチ以下の長さとし、断線したときであっても、静電容量の変化が小さくなるようにする。
【００１４】
前記タッチパネルにおいて、さらに、複数の前記第１末端線分及び複数の前記第２末端線分の長さは、１ピッチ以下の長さであることが好ましい。
また、複数の前記第１末端線分及び複数の前記第２末端線分の長さは、１／２ピッチ以下の長さであることが好ましい。
前記タッチパネルにおいて、さらに、前記単位格子は、正方形であることが好ましい。
【００１５】
また、以上のような課題を解決するタッチパネルは、複数の第１電極と、複数の第２電極と、複数の前記第１電極と複数の前記第２電極との間に挟まれる透明誘電体層とを備えるタッチセンサ用電極と、前記タッチセンサ用電極を覆うカバー層と、前記第１電極と前記第２電極との間の静電容量を測定する周辺回路とを備える。そして、前記タッチセンサ用電極は、以上のようなタッチセンサ用電極で構成されている。
【００１６】
また、以上のような課題を解決する表示装置は、情報を表示する表示パネルと、前記表示パネルの表示する前記情報を透過するタッチパネルと、前記タッチパネルを駆動する駆動回路とを備える。そして、前記タッチパネルは、以上のようなタッチパネルで構成されている。
【発明の効果】
【００１７】
以上のような構成によれば、電極線が断線したときにも、誤検出を抑制することができる。
【図面の簡単な説明】
【００１８】
【図１】本発明を具体化した第１実施形態における表示装置の平面構造を示す平面図であって、相互に異なる構成要素の一部が重なる順に切り欠いて示される平面図である。
【図２】第１実施形態における表示装置の断面構造を示す断面図である。
【図３】第１実施形態におけるタッチパネルの電気的構成を説明するためのブロック図である。
【図４】第１実施形態におけるドライブ電極の一部分の平面構造を示す部分平面図である。
【図５】（ａ）は、ドライブ主線とドライブ副線との交差点の末端線分に、クラックが形成された状態を示す平面図であり、（ｂ）は、クラックの部分で断線した状態を示す平面図である。
【図６】第１実施形態におけるセンシング電極の一部分の平面構造を示す部分平面図である。
【図７】第１実施形態におけるドライブ電極とセンシング電極との平面構造を示す平面図であって、ドライブ電極の位置とセンシング電極の位置との関係を示す。
【図８】表示パネルの表示面を示す平面図である。
【図９】第２実施形態におけるドライブ電極の一部分の平面構造を示す部分平面図である。
【図１０】第２実施形態におけるセンシング電極の一部分の平面構造を示す部分平面図である。
【図１１】第２実施形態におけるドライブ電極とセンシング電極との平面構造を示す平面図であって、ドライブ電極の位置とセンシング電極の位置との関係を示す。
【図１２】第３実施形態におけるドライブ電極の一部分の平面構造を示す部分平面図である。
【図１３】第３実施形態におけるドライブ電極とセンシング電極との平面構造を示す平面図であって、ドライブ電極の位置とセンシング電極の位置との関係を示す平面図である。
【図１４】第４実施形態におけるドライブ電極の一部分の平面構造を示す部分平面図である。
【図１５】第４実施形態におけるセンシング電極の一部分の平面構造を示す部分平面図である。
【図１６】第４実施形態におけるドライブ電極とセンシング電極との平面構造を示す平面図であって、ドライブ電極の位置とセンシング電極の位置との関係を示す平面図である。
【図１７】第１変形例における表示装置の断面構造を示す断面図である。
【図１８】第２変形例における表示装置の断面構造を示す断面図である。
【発明を実施するための形態】
【００１９】
［第１実施形態］
図１から図６を参照して、第１実施形態におけるタッチセンサ用電極、タッチパネル、及び、表示装置を説明する。以下では、表示装置の構成、タッチパネルの電気的構成、ドライブ電極の構成、及び、センシング電極の構成を説明する。
【００２０】
［表示装置の平面構造］
図１を参照して表示装置の構成を説明する。なお、図１は、表示装置の備えるブラックマトリクス、ドライブ電極、及び、センシング電極の構成を説明する便宜上、ブラックマトリクス、ドライブ電極、及び、センシング電極を誇張している。また、ドライブ電極を構成するドライブ電極線と、センシング電極を構成するセンシング電極線とを模式的に示している。
【００２１】
図１に示すように、表示装置は、例えば、液晶パネルである表示パネル１０と、タッチパネル２０とを備える。表示パネル１０とタッチパネル２０とは、１つの透明接着層によって貼り合わされ積層体である。この表示装置は、更に、タッチパネル２０を駆動するための駆動回路を備える。
【００２２】
表示パネル１０の表面には、矩形形状の表示領域１０Ｓが区画され、表示領域１０Ｓには、外部からの画像データに基づく画像等の情報が表示される。なお、表示パネル１０とタッチパネル２０との相対的な位置が筐体等の他の構成によって固定される前提であれば、透明接着層が割愛されてもよい。この表示領域１０Ｓには、タッチパネル２０が貼り合わされる。そして、表示領域１０Ｓを含む更に広い領域が、タッチパネル２０が指やスタイラスペンでタッチされたことを検出する検出領域１０Ｄとなっている。検出領域１０Ｄは、ドライブ電極線とセンシング電極線が立体的に交差した領域である。
【００２３】
表示パネル１０は、カラーフィルタ層１５を備える。カラーフィルタ層１５のブラックマトリクス１５ａは、１つの方向である第１電極方向Ｄ１と、第１電極方向Ｄ１と直交する方向である第２電極方向Ｄ２とに沿って並ぶ矩形形状を有した複数の単位格子から構成される格子パターンを有している。１つの画素１５Ｐは、第２電極方向Ｄ２に沿って連続する３つの単位格子から構成され、複数の画素１５Ｐは、第１電極方向Ｄ１、及び、第２電極方向Ｄ２に沿って並んでいる。
【００２４】
複数の画素１５Ｐの各々は、赤色を表示するための赤色着色層１５Ｒ、緑色を表示するための緑色着色層１５Ｇ、及び、青色を表示するための青色着色層１５Ｂから構成されている。カラーフィルタ層１５は、例えば、複数の赤色着色層１５Ｒ、複数の緑色着色層１５Ｇ、及び、複数の青色着色層１５Ｂが第２電極方向Ｄ２に沿って、この順で、繰り返し並んで構成されている。
【００２５】
１つの赤色着色層１５Ｒ、１つの緑色着色層１５Ｇ、及び、１つの青色着色層１５Ｂは、１つの画素１５Ｐを構成し、複数の画素１５Ｐは、第２電極方向Ｄ２における赤色着色層１５Ｒ、緑色着色層１５Ｇ、及び、青色着色層１５Ｂの並ぶ順番を維持した状態で、第２電極方向Ｄ２に沿って並んでいる。
【００２６】
画素１５Ｐにおける第２電極方向Ｄ２に沿った幅が第１画素幅ＷＰ１であり、画素１５Ｐにおける第１電極方向Ｄ１に沿った幅が第２画素幅ＷＰ２であり、各着色層１５Ｒ，１５Ｇ，１５Ｂにおける第１電極方向Ｄ１に沿った幅が第３画素幅ＷＰ３である。第１画素幅ＷＰ１、第２画素幅ＷＰ２、及び、第３画素幅ＷＰ３の各々は、表示装置に求められる解像度等に応じた値に設定される。
【００２７】
なお、表示パネル１０が有色の光を出力するＥＬパネルであるときには、ＥＬパネルが赤色の光を出力する赤色画素、緑色の光を出力する緑色画素、及び、青色の光を出力する青色画素を有する。したがって、上述したカラーフィルタ層１５を省略することができる。この際に、ＥＬパネルにおいて相互に隣り合う画素の境界部分は、ブラックマトリクスとして機能する。
【００２８】
タッチパネル２０は、静電容量式のタッチパネルであり、タッチセンサ用電極２１とカバー層２２とが透明接着層２３によって貼り合わされた積層体であって、表示パネル１０の表示する情報を透過する光透過性を有している。カバー層２２は、ガラス基板や樹脂フィルム等によって形成されている。カバー層２２は、透明接着層２３と反対側の面がタッチパネル２０の操作面２０Ｓとなる。透明接着層２３には、表示領域１０Ｓに表示される画像を透過する、例えばポリエーテル系接着剤やアクリル系接着剤等の接着剤が用いられている。
【００２９】
タッチセンサ用電極２１を構成する透明基板３１は、表示パネル１０に形成された表示領域１０Ｓの全体に重ねられ、表示領域１０Ｓが表示する画像等の情報を透過する光透過性を有している。透明基板３１は、例えば、透明ガラス基板や透明樹脂フィルム等の基材から構成され、１つの基材から構成される単層構造体であってもよいし、２つ以上の基材が重ねられた多層構造体であってもよい。
【００３０】
透明基板３１における表示パネル１０とは反対側の面は、ドライブ電極面３１Ｓとして設定されている。透明基板３１のドライブ電極面３１Ｓにおいて、複数のドライブ電極３１ＤＰの各々は、１つの方向である第２電極方向Ｄ２に沿って延びる帯形状を有し、かつ、第２電極方向Ｄ２と直交する第１電極方向Ｄ１に沿って第１隙間３９を空けて並んでいる。ドライブ電極３１ＤＰは、第１電極の一例である。
【００３１】
各ドライブ電極３１ＤＰは、複数のドライブ電極線の集合であり、複数のドライブ電極線は、第１主線の一例であるドライブ主線と、第１副線の一例であるドライブ副線とを備える。各ドライブ電極３１ＤＰの形成材料には、銅やアルミニウム等の金属膜が用いられる。あるいは、各ドライブ電極３１ＤＰの形成材料には、酸化亜鉛などの金属酸化物膜、および、酸化インジウム錫や酸化インジウムガリウム亜鉛などのインジウム、スズ、ガリウム、および、亜鉛などの金属酸化物を含む複合酸化物膜が用いられる。また、各ドライブ電極３１ＤＰの形成材料には、銀ナノワイヤー、導電性高分子膜、および、グラフェン膜などの導電膜も用いられる。複数のドライブ電極３１ＤＰの各々は、ドライブパッド３１Ｐを介して個別に選択回路に接続され、選択回路が出力する駆動信号を受けることによって選択回路に選択される。
【００３２】
複数のドライブ電極３１ＤＰ、及び、ドライブ電極面３１Ｓにおいてドライブ電極３１ＤＰが位置しない部分は、１つの透明接着層３２によって透明誘電体基板３３に貼り合わされている。透明接着層３２は、表示領域１０Ｓに表示される画像等の情報を透過する光透過性を有し、ドライブ電極面３１Ｓ及び複数のドライブ電極３１ＤＰと、透明誘電体基板３３とを接着する。透明接着層３２には、例えば、ポリエーテル系接着剤やアクリル系接着剤等が用いられる。透明誘電体基板３３は、透明誘電体層の一例であり、透明誘電体基板３３における透明基板３１と向かい合う裏面に、複数のドライブ電極３１ＤＰが並んでいる。
【００３３】
透明誘電体基板３３は、例えば、ポリエチレンテレフタラート等の透明樹脂フィルムや透明ガラス基板等の基材から構成されている。透明誘電体基板３３は、１つの基材から構成される単層構造であってもよいし、２つ以上の基材が重ねられた多層構造であってもよい。透明誘電体基板３３は、表示領域１０Ｓに表示される画像等の情報を透過する光透過性と、電極間における静電容量の検出に適した比誘電率とを有する。
【００３４】
透明誘電体基板３３における透明接着層３２との反対側の面は、センシング電極面３３Ｓとして設定される。透明誘電体基板３３のセンシング電極面３３Ｓには、複数のセンシング電極３３ＳＰが設けられている。複数のセンシング電極３３ＳＰの各々は、第１電極方向Ｄ１に沿って延びる帯形状を有し、かつ、第１電極方向Ｄ１と直交する第２電極方向Ｄ２に沿って第２隙間４３を空けて並んでいる。センシング電極３３ＳＰは、第２電極の一例である。
【００３５】
各センシング電極３３ＳＰは、複数のセンシング電極線の集合であり、複数のセンシング電極線は、第２主線の一例であるセンシング主線と、第２副線の一例であるセンシング副線とを備える。各センシング電極３３ＳＰの形成材料には、銅やアルミニウム等の金属膜が用いられる。あるいは、各センシング電極３３ＳＰの形成材料には、酸化亜鉛などの金属酸化物膜、および、酸化インジウム錫や酸化インジウムガリウム亜鉛などのインジウム、スズ、ガリウム、および、亜鉛などの金属酸化物を含む複合酸化物膜が用いられる。また、各センシング電極３３ＳＰの形成材料には、銀ナノワイヤー、導電性高分子膜、および、グラフェン膜などの導電膜も用いられる。複数のセンシング電極３３ＳＰの各々は、センシングパッド３３Ｐを介して個別に検出回路に接続され、検出回路によって電流値を測定される。
【００３６】
複数のセンシング電極３３ＳＰ、及び、センシング電極面３３Ｓにおいてセンシング電極３３ＳＰが位置しない部分は、上述した透明接着層２３によってカバー層２２に貼り合わされている。
【００３７】
複数のセンシング電極３３ＳＰを含む平面と対向する平面視において、ドライブ電極３１ＤＰとセンシング電極３３ＳＰとにおいて相互に重なる部分は、図１の二点鎖線によって示される四角形状を有した容量検出部ＮＤである。１つの容量検出部ＮＤは、１つのドライブ電極３１ＤＰと１つのセンシング電極３３ＳＰとが立体的に交差する部分であって、タッチパネル２０において使用者の指やスタイラスペン等がタッチした位置を検出することの可能な最小の単位である。
【００３８】
［表示装置の断面構造］
図２に示すように、タッチパネル２０は、表示パネル１０に近い構成要素から順番に、透明基板３１、ドライブ電極３１ＤＰ、透明接着層３２、透明誘電体基板３３、センシング電極３３ＳＰ、透明接着層２３、カバー層２２が位置している。このうち、透明誘電体基板３３は、複数のドライブ電極３１ＤＰと、複数のセンシング電極３３ＳＰとに挟まれている。
【００３９】
なお、透明接着層３２は、ドライブ電極３１ＤＰを構成する各ドライブ電極線の周りを覆い、かつ、相互に隣り合うドライブ電極線の間を埋めて、ドライブ電極３１ＤＰと透明誘電体基板３３との間に位置している。また、透明接着層２３は、センシング電極３３ＳＰを構成する各センシング電極線の周りを覆い、かつ、相互に隣り合うセンシング電極線の間を埋めて、センシング電極３３ＳＰとカバー層２２との間に位置している。これらの構成要素において、透明接着層２３、及び、透明基板３１の少なくとも一方は、省略されてもよい。
【００４０】
また、表示パネル１０は、タッチパネル２０から遠い構成要素から順番に、下側偏光板１１、薄膜トランジスタ（以下、ＴＦＴ）基板１２、ＴＦＴ層１３、液晶層１４、カラーフィルタ層１５、カラーフィルタ基板１６、上側偏光板１７が位置している。これらのうち、ＴＦＴ層１３には、サブ画素を構成する画素電極がマトリクス状に位置している。カラーフィルタ層１５におけるブラックマトリクス１５ａは、サブ画素の各々と向かい合う矩形形状を有する複数の領域を区画している。ブラックマトリクス１５ａの区画する各領域には、白色光を赤色、緑色、及び、青色のいずれかの色の光に変える上述した着色層が位置している。
【００４１】
なお、透明接着層２３の省略される構成においては、カバー層２２の面の中で透明誘電体基板３３との対向面がセンシング電極面３３Ｓとして設定される。センシング電極面３３Ｓは、センシング電極面３３Ｓに形成される１つの薄膜のパターニングによって、複数のセンシング電極３３ＳＰが形成される。
【００４２】
また、タッチパネル２０の製造に際しては、タッチセンサ用電極２１とカバー層２２とが、透明接着層２３によって貼り合わされる方法が採用されてもよい。また、タッチパネル２０には、こうした製造方法とは異なる他の例として、以下の製造方法が採用されてもよい。すなわち、樹脂フィルム等のカバー層２２に、銅等の導電性金属から構成される薄膜層が直に、もしくは、下地層を介して形成され、薄膜層の上にセンシング電極３３ＳＰのパターン形状を有したレジスト層が形成される。次いで、塩化第二鉄等を用いたウェットエッチング法によって、薄膜層が複数のセンシング電極３３ＳＰに加工されて、第１フィルムが得られる。また、センシング電極３３ＳＰと同様に、他の樹脂フィルムに形成された薄膜層が複数のドライブ電極３１ＤＰに加工されて、第２フィルムが得られる。そして、第１フィルムと第２フィルムとが透明誘電体基板３３を挟むように、透明誘電体基板３３に対して透明接着層によって貼り付けられる。
【００４３】
［タッチパネルの電気的構成］
図３を参照して、タッチパネル２０の電気的構成を説明する。なお、以下では、静電容量式のタッチパネル２０の一例として、相互容量方式のタッチパネル２０における電気的構成を説明する。
【００４４】
図３に示すように、タッチパネル２０は、選択回路３４、検出回路３５、及び、コントローラ３６を備える。選択回路３４は、複数のドライブ電極３１ＤＰに接続され、検出回路３５は、複数のセンシング電極３３ＳＰに接続され、コントローラ３６は、選択回路３４と検出回路３５とに接続されている。
【００４５】
コントローラ３６は、各ドライブ電極３１ＤＰに対する駆動信号の生成を選択回路３４に開始させるための開始タイミング信号を生成して出力する。コントローラ３６は、駆動信号が供給される対象を１番目のドライブ電極３１ＤＰからｎ番目のドライブ電極３１ＤＰに向けて選択回路３４に順次走査させるための走査タイミング信号を生成して出力する。
【００４６】
コントローラ３６は、各センシング電極３３ＳＰを流れる電流の検出を検出回路３５に開始させるための開始タイミング信号を生成して出力する。コントローラ３６は、検出の対象を１番目のセンシング電極３３ＳＰからｎ番目のセンシング電極３３ＳＰに向けて検出回路３５に順次走査させるための走査タイミング信号を生成して出力する。
【００４７】
選択回路３４は、コントローラ３６の出力した開始タイミング信号に基づいて、駆動信号の生成を開始する。そして、コントローラ３６の出力した走査タイミング信号に基づいて、駆動信号の出力先を１番目のドライブ電極３１ＤＰ１からｎ番目のドライブ電極３１ＤＰｎに向けて走査する。
【００４８】
検出回路３５は、信号取得部３５ａと信号処理部３５ｂとを備える。信号取得部３５ａは、コントローラ３６の出力した開始タイミング信号に基づいて、各センシング電極３３ＳＰに生成されたアナログ信号である電流信号の取得を開始する。信号取得部３５ａは、コントローラ３６の出力した走査タイミング信号に基づいて、電流信号の取得元を１番目のセンシング電極３３ＳＰ１からｎ番目のセンシング電極３３ＳＰｎに向けて走査する。
【００４９】
信号処理部３５ｂは、信号取得部３５ａの取得した各電流信号を処理して、デジタル値である電圧信号を生成し、生成された電圧信号をコントローラ３６に出力する。選択回路３４と検出回路３５とは、静電容量の変化に応じて変わる電流信号から電圧信号を生成することによって、ドライブ電極３１ＤＰとセンシング電極３３ＳＰとの間の静電容量の変化を測定する。選択回路３４、及び、検出回路３５は、周辺回路の一例である。
【００５０】
コントローラ３６は、信号処理部３５ｂの出力した電圧信号に基づいて、タッチパネル２０において使用者の指やスタイラスペン等が触れている位置を検出する。なお、タッチパネル２０は、上述した相互容量方式のタッチパネル２０に限らず、自己容量方式のタッチパネルであってもよい。
【００５１】
［ドライブ電極３１ＤＰの構成］
図４を参照してドライブ電極の構成を説明する。図４においては、ドライブ電極３１ＤＰを構成する複数のドライブ電極線の配置を説明する便宜上、２つのドライブ電極３１ＤＰのなかで４つの容量検出部ＮＤを構成する部分を拡大して示し、かつ、ドライブ電極線の線幅を誇張している。
【００５２】
図４に示すように、複数のドライブ電極３１ＤＰの各々は、複数のドライブ主線３１ＭＬと、複数のドライブ副線３１ＳＬとを備える。１つのドライブ主線３１ＭＬは、複数のドライブ副線３１ＳＬが交差し、また、１つのドライブ副線３１ＳＬには、複数のドライブ主線３１ＭＬが交差する。ドライブ主線３１ＭＬとドライブ副線３１ＳＬとは、交差することで、少なくとも、１つのＬ字、逆Ｌ字、又は、十字等の形状を形成する。
【００５３】
複数のドライブ主線３１ＭＬの各々は、第１電極方向Ｄ１と第２電極方向Ｄ２の間にある第１線方向ＤＬ１に沿って延びる直線形状を有する線分である。複数のドライブ主線３１ＭＬの一部は、第２電極方向Ｄ２において相互に隣り合う２つの容量検出部ＮＤに跨る線分となっている。また、ドライブ主線３１ＭＬの一部は、第１電極方向Ｄ１に相互に隣り合う容量検出部ＮＤ間で途切れる線分となっている。
【００５４】
また、ドライブ主線３１ＭＬは、第１電極方向Ｄ１と第２電極方向Ｄ２の間にある第２線方向ＤＬ２の最小の主線間隔ＷＭからその３倍の間隔３ＷＭを空けて、第２線方向ＤＬ２に沿って並んでいる。すなわち、ドライブ主線３１ＭＬは、主線間隔ＷＭを空けて互いに平行に設けられているものと、主線間隔ＷＭの２倍の主線間隔２ＷＭを空けて互いに平行に設けられているものと、主線間隔ＷＭの３倍の主線間隔３ＷＭを空けて互いに平行に設けられているものとがある。
【００５５】
複数のドライブ副線３１ＳＬは、第２線方向ＤＬ２に沿って延びる直線形状を有する線分である。また、第２線方向ＤＬ２と第２電極方向Ｄ２との形成する角度θ１は、０°以上９０°未満であり、第１線方向ＤＬ１と第１電極方向Ｄ１との形成する角度θ２は、０°以上９０°未満である。第１線方向ＤＬ１と第２線方向ＤＬ２とは、相互に交差する方向であって、図４においては、角度θ１、及び、角度θ２は、６６．０４°であり、第１線方向ＤＬ１と第２線方向ＤＬ２との形成する角度は、９０°である。複数のドライブ副線３１ＳＬの一部は、第１電極方向Ｄ１に相互に隣り合う容量検出部ＮＤ間で途切れる線分となっている。複数のドライブ副線３１ＳＬの一部は、例えば、第１線方向ＤＬ１の最小の副線間隔ＷＳから５倍の間隔５ＷＳを空けて、第１線方向ＤＬ１に沿って並んでいる。すなわち、ドライブ副線３１ＳＬは、ＷＳ、２ＷＳ、３ＷＳ、４ＷＳ、及び、５ＷＳの間隔を空けて互いに平行に設けられている。
【００５６】
複数のドライブ副線３１ＳＬの各々は、複数のドライブ主線３１ＭＬを並列に接続している。複数のドライブ副線３１ＳＬの各々は、複数のドライブ主線３１ＭＬを並列に接続し、ドライブ主線３１ＭＬの数は、複数のドライブ主線３１ＭＬを並列に接続するドライブ副線３１ＳＬの数よりも多い。複数のドライブ主線３１ＭＬを並列に接続するドライブ副線３１ＳＬは、１つの容量検出部ＮＤごとに複数ずつ含まれている。したがって、例えば、図４において白丸で示すように、ドライブ主線３１ＭＬの一部に断線が発生しても、ドライブ副線３１ＳＬと断線したドライブ主線３１ＭＬの隣のドライブ主線３１ＭＬを使用して、白丸部分を迂回する伝送路が形成される。そして、ドライブ電極３１ＤＰの有する伝送路のうち、迂回された部分を除く部分においては、通常とほぼ同じ抵抗値が得られる。結果として、ドライブ電極線が第２電極方向Ｄ２に沿って延びる直線形状を有した線分のみからなる構成と比べて、ドライブ電極３１ＤＰにおける抵抗値が、ドライブ電極線の一部分における抵抗値の増大によって増大することが抑えられる。
【００５７】
また、複数のドライブ主線３１ＭＬの一部は、ドライブ主線３１ＭＬとドライブ副線３１ＳＬとが交差する第１交差点３７から先に延びる第１主線末端線分３８ａを有する。また、複数のドライブ副線３１ＳＬの一部は、第１交差点３７から先に延びる第１副線末端線分３８ｂを有する。第１主線末端線分３８ａの一部及び第１副線末端線分３８ｂの一部は、ドライブ電極３１ＤＰとセンシング電極３３ＳＰとを重ね合わせたときに形成される単位格子４４ａの一辺を１ピッチＰとしたときに、２ピッチ以下の長さに形成されている（図７参照）。なお、第１主線末端線分３８ａ及び第１副線末端線分３８ｂの長さは、好ましくは１ピッチ以下の長さ、更に好ましくは１／２ピッチ以下の長さである。本実施形態での第１主線末端線分３８ａ及び第１副線末端線分３８ｂの長さは、１／２ピッチの長さとなっている。
【００５８】
ドライブ主線３１ＭＬ及びドライブ副線３１ＳＬは、第１電極方向Ｄ１において、相互に隣り合う容量検出部ＮＤ間に跨っていない線分を含み、容量検出部ＮＤ間に、第１隙間３９を形成している。このため、ドライブ主線３１ＭＬの一部は、第１隙間３９に沿う位置に、第１主線末端線分３８ａを有し、また、ドライブ副線３１ＳＬの一部は、第１隙間３９に沿う位置に、第１副線末端線分３８ｂを有している。また、図４の例では、１つの容量検出部ＮＤ内においても、第１主線末端線分３８ａ及び第１副線末端線分３８ｂを形成している。
【００５９】
例えば、図４中破線の丸Ａに示すように、ドライブ電極３１ＤＰでは、１つの容量検出部ＮＤにおいて、端部がドライブ電極３１ＤＰ間に位置する第１隙間３９に臨むドライブ主線３１ＭＬと交差するドライブ副線３１ＳＬの第１副線末端線分３８ｂの長さが、単位格子の一辺を１ピッチＰとしたとき、１／２ピッチの長さとなっている。
【００６０】
また、図４中破線の丸Ｂに示すように、ドライブ電極３１ＤＰでは、複数のドライブ主線３１ＭＬの一部において、ドライブ主線３１ＭＬの両端部の第１主線末端線分３８ａの長さが、１／２ピッチの長さである。なお、第２電極方向Ｄ２に隣接する容量検出部ＮＤに跨るドライブ主線３１ＭＬの両端部の第１主線末端線分３８ａの長さを１／２ピッチ以下の長さとしてもよい。
【００６１】
また、図４中破線の丸Ｃに示すように、ドライブ電極３１ＤＰでは、複数のドライブ副線３１ＳＬの一部が、１つの容量検出部ＮＤ内のドライブ副線３１ＳＬの両端部に第１副線末端線分３８ｂを有し、第２線方向ＤＬ２に沿う各第１副線末端線分３８ｂの長さが、１／２ピッチである。また、第２電極方向Ｄ２に相互に隣り合う２つの容量検出部ＮＤ間に跨ったドライブ副線３１ＳＬの両端部の第１副線末端線分３８ｂが、１／２ピッチ以下の長さである。
【００６２】
図５（ａ）に示すように、ドライブ主線３１ＭＬとドライブ副線３１ＳＬの第１交差点３７において、エッチング不良等が原因で、クラック１０３が形成されてしまうことがある。クラック１０３の部分は、タッチパネル２０が繰り返し使用されるうちに、断線してしまうことがある。断線箇所においては、相対する端部が近接しているため、使用状況によって、端部同士の接続や非接続が発生する。このため、使用者が指やスタイラスペンが触れなくても、静電容量の変化が生じる。なお、第１主線末端線分３８ａから延長した点線部分は、従来の末端線分を示している。従来の末端線分は、第１主線末端線分３８ａより長い。
【００６３】
図５（ｂ）に示すように、断線した第１主線末端線分３８ａ１及び第１副線末端線分３８ｂ１は、単位格子４４ａの一辺を１ピッチＰとしたときに、１／２ピッチの長さで極めて短い（図７参照）。断線した第１主線末端線分３８ａ１及び第１副線末端線分３８ｂ１は、短いほど、断線時の静電容量の変化が小さくなる。したがって、断線箇所の相対する端部同士が接続や非接続の状態となっても、静電容量の変化が小さくなり、コントローラ３６がこの静電容量の変化を誤検出してしまうことを抑制することができる。
【００６４】
一般に、スタイラスペンが操作面２０Ｓに触れたときの静電容量の変化は、指が操作面２０Ｓに触れたときの静電容量の変化よりも小さい。スタイラスペンが操作面２０Ｓに触れたときの静電容量の変化は、単位格子の一辺を１ピッチとしたとき、おおよそ３ピッチ程度の長さの第１主線末端線分３８ａ及び第１副線末端線分３８ｂが断線したときに相当する。本実施形態では、第１主線末端線分３８ａ及び第１副線末端線分３８ｂの長さは、１／２ピッチとなっている。したがって、クラック１０３の部分が断線したとしても、静電容量の変化は小さく、コントローラ３６が断線に伴う静電容量の変化を誤検出してしまうことを抑制することができる。すなわち、コントローラ３６は、静電容量の変化の閾値を、スタイラスペンの容量変化に合わせて低く設定しても、断線による誤検出の発生を抑制することができる。
【００６５】
［センシング電極の構成］
図６を参照してセンシング電極の構成を説明する。図６においては、センシング電極３３ＳＰを構成する複数のセンシング電極線の配置を説明する便宜上、２つのセンシング電極３３ＳＰのなかで４つの容量検出部ＮＤを構成する部分を拡大して示し、かつ、センシング電極線の線幅を誇張している。
【００６６】
複数のセンシング電極３３ＳＰの各々は、複数のセンシング主線３３ＭＬと、複数のセンシング副線３３ＳＬとを備える。センシング主線３３ＭＬは、ドライブ主線３１ＭＬと延在方向が相互に異なり、センシング副線３３ＳＬも、ドライブ副線３１ＳＬと延在方向が異なる。１つのセンシング主線３３ＭＬは、複数のセンシング副線３３ＳＬが交差し、また、１つのセンシング副線３３ＳＬには、複数のセンシング主線３３ＭＬが交差する。センシング主線３３ＭＬとセンシング副線３３ＳＬとは、交差することで、少なくとも、１つのＬ字、逆Ｌ字、又は、十字等の形状を形成する。
【００６７】
図６に示すように、複数のセンシング主線３３ＭＬの各々は、第２線方向ＤＬ２に沿って延びる直線形状を有する線分である。複数のセンシング主線３３ＭＬは、第１電極方向Ｄ１において相互に隣り合う２つの容量検出部ＮＤに跨る線分となっている。また、センシング主線３３ＭＬの一部は、第２電極方向Ｄ２に相互に隣り合う容量検出部ＮＤ間で途切れる線分となっている。
【００６８】
また、センシング主線３３ＭＬは、例えば、第１線方向ＤＬ１の主線間隔ＷＳからその３倍の間隔３ＷＳを空けて、第２線方向ＤＬ２に沿って並んでいる。すなわち、センシング主線３３ＭＬは、主線間隔ＷＭを空けて互いに平行に設けられているものと、主線間隔ＷＳの２倍の主線間隔２ＷＳを空けて互いに平行に設けられているものと、主線間隔ＷＳの３倍の主線間隔３ＷＳを空けて互いに平行に設けられているものとがある。
【００６９】
複数のセンシング副線３３ＳＬの各々は、第１線方向ＤＬ１に沿って延びる直線形状を有する線分である。複数のセンシング副線３３ＳＬの一部は、第２電極方向Ｄ２に相互に隣り合う容量検出部ＮＤ間で途切れる線分となっている。複数のセンシング副線３３ＳＬは、第２線方向ＤＬ２の副線間隔ＷＭから７倍の間隔７ＷＭを空けて、第１線方向ＤＬ１に沿って並んでいる。すなわち、センシング副線３３ＳＬは、主線間隔ＷＭを空けて互いに平行に設けられているものと、主線間隔ＷＭの２倍の主線間隔２ＷＭを空けて互いに平行に設けられているものと、主線間隔ＷＭの３倍の主線間隔３ＷＭを空けて互いに平行に設けられているものとがある。更に、センシング副線３３ＳＬは、主線間隔ＷＭが４倍、５倍、６倍、７倍のものがある。
【００７０】
複数のセンシング副線３３ＳＬの各々は、複数のセンシング主線３３ＭＬを並列に接続している。複数のセンシング主線３３ＭＬを並列に接続するセンシング副線３３ＳＬは、１つの容量検出部ＮＤごとに複数ずつ含まれている。したがって、例えば、図６において白丸で示すように、センシング主線３３ＭＬの一部に断線が発生しても、センシング副線３３ＳＬと断線したセンシング主線３３ＭＬの隣のセンシング主線３３ＭＬを使用して、白丸部分を迂回する伝送路が形成される。そして、センシング電極３３ＳＰの有する伝送路のうち、迂回された部分を除く部分において、通常とほぼ同じ抵抗値が得られる。結果として、センシング電極線が第１電極方向Ｄ１に沿って延びる直線形状を有した線分のみからなる構成と比べて、センシング電極３３ＳＰにおける抵抗値が、センシング電極線の一部分における抵抗値の増大によって増大することを抑えられる。
【００７１】
また、複数のセンシング主線３３ＭＬの一部は、センシング主線３３ＭＬとセンシング副線３３ＳＬとが交差する第２交差点４１から先に延びる第２主線末端線分４２ａを有する。また、複数のセンシング副線３３ＳＬの一部は、第２交差点４１から先に延びる第２副線末端線分４２ｂを有する。第２主線末端線分４２ａの一部及び第２副線末端線分４２ｂの一部は、ドライブ電極３１ＤＰとセンシング電極３３ＳＰとを重ね合わせたときに形成される単位格子４４ａの一辺を１ピッチＰとしたときに、２ピッチ以下の長さに形成されている（図７参照）。なお、第２主線末端線分４２ａ及び第２副線末端線分４２ｂの長さは、好ましくは１ピッチ以下の長さ、更に好ましくは１／２ピッチ以下の長さである。本実施形態での第２主線末端線分４２ａ及び第２副線末端線分４２ｂの長さは、１／２ピッチの長さとなっている。
【００７２】
センシング主線３３ＭＬ及びセンシング副線３３ＳＬは、第２電極方向Ｄ２において、相互に隣り合う容量検出部ＮＤ間に跨っていない線分を含み、容量検出部ＮＤ間に、第２隙間４３を形成している。このため、センシング主線３３ＭＬの一部は、第２隙間４３に沿う位置に、第２主線末端線分４２ａを有し、また、センシング副線３３ＳＬの一部は、第２隙間４３に沿う位置に、第２副線末端線分４２ｂを有している。また、ここ図６の例では、１つの容量検出部ＮＤ内においても、第２主線末端線分４２ａ及び第２副線末端線分４２ｂを形成している。
【００７３】
例えば、図６中破線の丸Ｄにおいて、センシング電極３３ＳＰでは、１つの容量検出部ＮＤにおいて、端部がセンシング電極３３ＳＰ間に位置する第２隙間４３に臨むセンシング主線３３ＭＬと交差するセンシング副線３３ＳＬの第２副線末端線分４２ｂの長さが、単位格子４４ａの一辺を１ピッチＰとしたとき、１／２ピッチの長さとなっている。
【００７４】
また、図６中破線の丸Ｅに示すように、センシング電極３３ＳＰでは、第１電極方向Ｄ１に隣接する２つの容量検出部ＮＤに跨る複数のセンシング主線３３ＭＬの一部において、センシング主線３３ＭＬの両端部の第２主線末端線分４２ａの長さが、１／２ピッチの長さである。なお、第１電極方向Ｄ１に隣接する容量検出部ＮＤに跨らないセンシング主線３３ＭＬの両端部の第２主線末端線分４２ａの長さが１／２ピッチ以下の長さであってもよい。
【００７５】
また、図６中破線の丸Ｆに示すように、センシング電極３３ＳＰでは、複数のセンシング副線３３ＳＬの一部が、１つの容量検出部ＮＤ内のセンシング副線３３ＳＬの両端部に第２副線末端線分４２ｂを有し、第１線方向ＤＬ１に沿う各第２副線末端線分４２ｂの長さが、１／２ピッチである。なお、第１電極方向Ｄ１に相互に隣り合う容量検出部ＮＤ間に跨ったセンシング副線３３ＳＬの両端部の第２副線末端線分４２ｂが、１／２ピッチの長さとしてもよい。
【００７６】
図５（ａ）に示すように、センシング主線３３ＭＬとセンシング副線３３ＳＬの第２交差点４１において、エッチング不良等が原因で、クラック１０３が形成されてしまうことがある。クラック１０３の部分は、タッチパネル２０が繰り返し使用されるうちに、断線してしまうことがある。なお、第２主線末端線分４２ａから延長した点線部分は、従来の末端線分を示している。従来の末端線分は、第２主線末端線分４２ａより長い。
【００７７】
図５（ｂ）に示すように、断線した第２主線末端線分４２ａ１及び第２副線末端線分４２ｂ１は、単位格子４４ａの一辺を１ピッチＰとしたときに、１／２ピッチの長さで極めて短い（図７参照）。断線した第２主線末端線分４２ａ１及び第２副線末端線分４２ｂ１は、短いほど、断線時の静電容量の変化が小さくなる。したがって、ドライブ主線３１ＭＬ及びドライブ副線３１ＳＬの場合と同様に、断線箇所の相対する端部同士が接続や非接続の状態となっても、静電容量の変化が小さくなり、コントローラ３６がこの静電容量の変化を誤検出してしまうことを抑制することができる。すなわち、コントローラ３６は、静電容量の変化の閾値を、スタイラスペンの容量変化に合わせて低く設定しても、断線による誤検出の発生を抑制することができる。
【００７８】
［タッチパネル用電極の構成］
図７を参照してタッチセンサ用電極の構成を説明する。図７においては、タッチセンサ用電極を構成する複数の線分の配置を説明する便宜上、複数の線分の各々における線幅を誇張している。また、ドライブ電極線は白抜き太線によって示し、センシング電極線は黒太線によって示している。
【００７９】
図７に示すように、ドライブ電極３１ＤＰを構成する複数の線分と、センシング電極３３ＳＰを構成する複数の線分とは、四角形状の一例である正方形状を有した単位格子の繰返しである格子パターン４４を構成している。
【００８０】
すなわち、ドライブ主線３１ＭＬは、センシング主線３３ＭＬと相互に交差する位置であって、かつ、第１線方向ＤＬ１において、センシング副線３３ＳＬと重ならない位置に配置されている。また、ドライブ副線３１ＳＬは、センシング副線３３ＳＬと相互に交差する位置であって、かつ、第２線方向ＤＬ２おいて、センシング主線３３ＭＬと重ならない位置に配置されている。更に、センシング主線３３ＭＬは、ドライブ主線３１ＭＬと相互に交差する位置であって、かつ、第２線方向ＤＬ２において、ドライブ副線３１ＳＬと重ならない位置に配置されている。更に、センシング副線３３ＳＬは、ドライブ副線３１ＳＬと相互に交差する位置であって、かつ、第１線方向ＤＬ１において、ドライブ主線３１ＭＬと重ならない位置に配置されている。
【００８１】
ここでは、ドライブ主線３１ＭＬの最小の主線間隔ＷＭとドライブ副線３１ＳＬの最小の副線間隔ＷＳとセンシング主線３３ＭＬの最小の主線間隔ＷＭとセンシング副線３３ＳＬの最小の副線間隔ＷＳとが等しい。したがって、格子パターン４４を構成する単位格子４４ａは、正方形となる。なお、単位格子４４ａは、隣り合う辺の寸法が若干異なり、正方形に近い直方形であってもよい。この正方形の単位格子４４ａの一辺を１ピッチとしたとき、上述したドライブ主線３１ＭＬの第１主線末端線分３８ａとドライブ副線３１ＳＬの第１副線末端線分３８ｂの長さは、１／２ピッチの長さとなっている。また、上述したセンシング主線３３ＭＬの第２主線末端線分４２ａとセンシング副線３３ＳＬの第２副線末端線分４２ｂの長さは、１／２ピッチとなっている。
【００８２】
したがって、図７中破線の丸Ｈに示すように、一部の単位格子４４ａの一辺は、第１線方向ＤＬ１において、ドライブ主線３１ＭＬの第１主線末端線分３８ａとセンシング副線３３ＳＬの第２副線末端線分４２ｂとで構成される。第１主線末端線分３８ａと第２副線末端線分４２ｂとは、共に、単位格子４４ａの一辺の１／２ピッチである。第１主線末端線分３８ａと第２副線末端線分４２ｂとは、正方形の一辺の相対する端部から延出して、単位格子４４ａの一辺を構成する。すなわち、単位格子４４ａを構成する１つの辺において、一方の端部から第１主線末端線分３８ａが第１線方向ＤＬ１に沿って他方の端部に向けて延び、かつ、他方の端部から第２副線末端線分４２ｂが第１線方向ＤＬ１に沿って一方の端部に向けて延びている。
【００８３】
また、図７中破線の丸Ｇに示すように、一部の単位格子４４ａの一辺は、第２線方向ＤＬ２において、ドライブ副線３１ＳＬの第１副線末端線分３８ｂとセンシング主線３３ＭＬの第２主線末端線分４２ａとで構成される。第１副線末端線分３８ｂと第２主線末端線分４２ａとは、共に、単位格子４４ａの一辺の１／２ピッチの長さである。第１副線末端線分３８ｂと第２主線末端線分４２ａとは、正方形の一辺の相対する端部から延出して、単位格子４４ａの一辺を構成する。すなわち、単位格子４４ａを構成する１つの辺において、一方の端部から第１副線末端線分３８ｂが第２線方向ＤＬ２に沿って他方の端部に向けて延び、かつ、他方の端部から第２主線末端線分４２ａが第２線方向ＤＬ２に沿って一方の端部に向けて延びている。
【００８４】
単位格子４４ａの一辺が第１副線末端線分３８ｂと第２主線末端線分４２ａとで構成されるとき、第１副線末端線分３８ｂと第２主線末端線分４２ａの長さは、１／２ピッチであることが好ましい。１／２ピッチである線分は、タッチセンサ用電極の製造時に、エッチングによって設計通りに加工しやすいからである。勿論、第１副線末端線分３８ｂと第２主線末端線分４２ａとの一方が１／２ピッチより長いときには、その分、第１副線末端線分３８ｂと第２主線末端線分４２ａとの他方は、短くなる。
【００８５】
また、単位格子４４ａの一辺が第１主線末端線分３８ａと第２副線末端線分４２ｂとで構成されるときも、第１主線末端線分３８ａと第２副線末端線分４２ｂの長さは、１／２ピッチであることが好ましい。１／２ピッチである線分は、タッチセンサ用電極の製造時に、エッチングによって設計通りに加工しやすいからである。勿論、第１主線末端線分３８ａと第２副線末端線分４２ｂとの一方が１／２ピッチより長いときには、その分、第１主線末端線分３８ａと第２副線末端線分４２ｂとの他方は、短くなる。
【００８６】
図８に示すように、一般に、表示パネル１０のドライブ電極線とセンシング電極線が立体的に交差した検出領域１０Ｄと画像等が表示される表示領域１０Ｓとは、大部分が重なり、共に、矩形状を有している。表示領域１０Ｓは、例えば、電子機器のフレームより外部に臨んだ矩形状の領域であり、画像データや動画データが表示される領域である。そして、表示領域１０Ｓの外周部４５は、指やスタイラスペンで操作されることが殆どない領域である。なお、この外周部４５は、例えば、表示領域１０Ｓの外周縁から所定幅を有した矩形環状である。そして、外周部４５は、例えば１つの容量検出部ＮＤの幅程度で、容量検出部ＮＤが一列で環状に並んだ領域である。勿論、容量検出部ＮＤの大きさによって、外周部４５の幅は、容量検出部ＮＤの２列分やそれ以上であってもよいし、容量検出部ＮＤ以下の幅であってもよい。
【００８７】
表示パネル１０は、手のひらサイズの大きさの電子機器に用いるもので４インチから６インチ程度の表示面を有する。このような表示パネル１０において、外周部４５は、概ね表示領域１０Ｓの全体の３０％である。そして、表示領域１０Ｓのインチサイズが大きいほど、外周部４５の割合は小さくなる。そして、外周部４５を除く外周部４５より内側の領域が、実際に使用者の指やスタイラスペンでタッチ操作される実際の操作領域４６となる。したがって、表示パネル１０では、表示領域の７０％以上を占める操作領域４６を、末端線分３８ａ，３８ｂ，４２ａ，４２ｂの長さが１／２ピッチである領域としている。これにより、操作領域４６では、第１主線末端線分３８ａや第１副線末端線分３８ｂの断線や第２主線末端線分４２ａや第２副線末端線分４２ｂの断線に伴う静電容量の変化を小さく抑えることができる。
【００８８】
この場合、外周部４５は、静電容量の変化の検出感度を下げるようにコントローラ３６の静電容量の変化の閾値を設定する。例えば、容量検出部ＮＤに対して設定される容量変化量の閾値を、少なくとも、外周部４５に存在する１／２ピッチより長い末端線分が断線したときの静電容量の変化より大きい値に設定する。これにより、コントローラ３６は、外周部４５で、断線箇所の接続や非接続が発生し、静電容量の変化が生じても、この変化を検出せず、断線に伴う静電容量の変化を原因とした誤検出を抑制することができる。
【００８９】
なお、上述した第１主線末端線分３８ａや第１副線末端線分３８ｂの断線や第２主線末端線分４２ａや第２副線末端線分４２ｂの断線に伴う静電容量の変化を小さくするため、１／２ピッチとするのは、ドライブ電極線とセンシング電極線が立体的に交差した検出領域１０Ｄの７０％以上の領域であってもよい（図１参照）。検出領域１０Ｄは、表示領域１０Ｓより若干大きく形成されることが多いが、実質的に、表示領域１０Ｓと同じ大きさと見なすこともできるからである。
【００９０】
なお、センシング面と対向する平面視において、ドライブ電極３１ＤＰ、及び、センシング電極３３ＳＰの各々は、光の散乱を抑えるために、黒色を有していることが好ましい。ドライブ電極３１ＤＰやセンシング電極３３ＳＰの黒色化は、例えば、金属配線の酸化処理、あるいは、黒色を有する金属膜のめっき処理等によって実現される。
【００９１】
以上、上記第１実施形態によれば以下に列記する効果が得られる。
（１）ドライブ主線３１ＭＬの第１主線末端線分３８ａとドライブ副線３１ＳＬの第１副線末端線分３８ｂとは、単位格子４４ａの一辺を１ピッチとしたとき、１／２ピッチの長さとなり、短くなっている。したがって、第１主線末端線分３８ａや第１副線末端線分３８ｂがクラック１０３等が原因で断線したとしても、その際の静電容量の変化を小さくすることができ、誤検出を抑制することができる。
【００９２】
（２）センシング主線３３ＭＬの第２主線末端線分４２ａとセンシング副線３３ＳＬの第２副線末端線分４２ｂも、単位格子４４ａの一辺を１ピッチとしたとき、１／２ピッチの長さとなり、短くなっている。したがって、第２主線末端線分４２ａや第２副線末端線分４２ｂがクラック１０３等が原因で断線したとしても、その際の静電容量の変化を小さくすることができ、誤検出を抑制することができる。
【００９３】
（３）ドライブ主線３１ＭＬがドライブ副線３１ＳＬで接続されているので、ドライブ電極３１ＤＰにおける抵抗値が、ドライブ電極線の一部分における抵抗値の増大によって増大することを抑えられる。
（４）センシング主線３３ＭＬがセンシング副線３３ＳＬで接続されているので、センシング電極３３ＳＰにおける抵抗値が、センシング電極線の一部分における抵抗値の増大によって増大することを抑えられる。
【００９４】
（５）タッチセンサ用電極２１によれば、ドライブ電極３１ＤＰは、第１電極方向Ｄ１に沿った周期性を有し、かつ、センシング電極３３ＳＰは、第２電極方向Ｄ２に沿った周期性を有する。一方で、ドライブ主線３１ＭＬ、ドライブ副線３１ＳＬ、センシング主線３３ＭＬ、及び、センシング副線３３ＳＬの各々は、第１電極方向Ｄ１、及び、第２電極方向Ｄ２と交差する方向に沿って延びる直線形状を有している。ここで、タッチセンサ用電極２１が搭載されるデバイスにおいては、通常、画素１５Ｐやブラックマトリクス１５ａ等のように、タッチパネル２０に対する操作の対象となる要素である操作対象要素の並ぶ方向と、タッチセンサ用電極２１における容量検出部ＮＤの並ぶ方向とは整合している。この点で、上述した構成であれば、ドライブ主線３１ＭＬやドライブ副線３１ＳＬが有する周期性と、操作対象要素が有する周期性との干渉が抑えられ、かつ、センシング主線３３ＭＬやセンシング副線３３ＳＬが有する周期性と、操作対象要素が有する周期性との干渉が抑えられる。それゆえに、タッチセンサ用電極２１が搭載されるデバイスにおいて、タッチセンサ用電極２１に起因したモアレが抑えられる。
【００９５】
なお、上記第１実施形態は、以下のように適宜変更して実施することもできる。
・１／２ピッチの長さを有する第１主線末端線分３８ａや第１副線末端線分３８ｂや第２主線末端線分４２ａや第２副線末端線分４２ｂは、表示領域１０Ｓ又は検出領域１０Ｄの７０％以上であればよい。すなわち、外周部４５ではなく、表示領域１０Ｓ又は検出領域１０Ｄに例えば離散的に設けてもよい。
【００９６】
・また、末端線分３８ａ，３８ｂ，４２ａ，４２ｂの長さは、単位格子４４ａの２ピッチ以下の長さであれば特に限定されるものではなく、１ピッチ等であってもよい。
【００９７】
［第２実施形態］
図９から図１１を参照して、第２実施形態におけるタッチセンサ用電極、タッチパネル、及び、表示装置を説明する。第２実施形態においては、ドライブ電極線の構成、及び、センシング電極線の構成が、第１実施形態とは主に異なる。以下では、これらの構成の差異を主に説明し、第１実施形態における構成と同様の構成には同じ符号を付して、その説明を省略する。
【００９８】
［ドライブ電極３１ＤＰ］
図９に示すように、複数のドライブ電極３１ＤＰの各々は、複数のドライブ主線３１ＭＬと、複数のドライブ副線３１ＳＬとを備える。ドライブ副線３１ＳＬの各々は、互いに隣接するドライブ主線３１ＭＬを並列接続している。また、ドライブ副線３１ＳＬの第１線方向ＤＬ１の副線間隔は、ドライブ主線３１ＭＬの第２線方向ＤＬ２の主線間隔ＷＭの６倍となっており、長方形の格子パターンを構成している。
【００９９】
複数のドライブ主線３１ＭＬの各々は、第１電極方向Ｄ１や第２電極方向Ｄ２の間にある第１線方向ＤＬ１に沿って延びる直線形状を有する線分である。複数のドライブ主線３１ＭＬは、第２電極方向Ｄ２において相互に隣り合う２つの容量検出部ＮＤに跨る線分となっている。また、ドライブ主線３１ＭＬは、第１電極方向Ｄ１に相互に隣り合う容量検出部ＮＤ間で途切れる線分となっている。
【０１００】
複数のドライブ副線３１ＳＬは、第２線方向ＤＬ２に沿って延びる直線形状を有する線分であり、副線間隔が６ＷＭとなっている。複数のドライブ副線３１ＳＬの各々は、複数のドライブ主線３１ＭＬを並列に接続している。複数のドライブ主線３１ＭＬを並列に接続するドライブ副線３１ＳＬは、１つの容量検出部ＮＤごとに複数ずつ含まれている。したがって、例えば、図９において白丸で示すように、ドライブ主線３１ＭＬの一部に断線が発生しても、ドライブ副線３１ＳＬと断線したドライブ主線３１ＭＬの隣のドライブ主線３１ＭＬを使用して、白丸部分を迂回する伝経路が構成される。そして、ドライブ電極３１ＤＰの有する伝送路のうち、迂回された部分を除く部分においては、通常とほぼ同じ抵抗値が得られる。結果として、ドライブ電極線が第２電極方向Ｄ２に沿って延びる直線形状を有した線分のみからなる構成と比べて、ドライブ電極３１ＤＰにおける抵抗値が、ドライブ電極線の一部分における抵抗値の増大によって増大することが抑えられる。
【０１０１】
ドライブ主線３１ＭＬは、第１電極方向Ｄ１に相互に隣り合う容量検出部ＮＤ間を跨っていない線分を有し、容量検出部ＮＤ間に、第１隙間３９を形成している。このため、第１隙間３９に沿う位置には、ドライブ主線３１ＭＬとドライブ副線３１ＳＬとが交差する第１交差点３７から先に延びる第１主線末端線分３８ａが形成される。第１主線末端線分３８ａは、ドライブ電極３１ＤＰとセンシング電極３３ＳＰとを重ね合わせたときに形成される単位格子４４ａの一辺を１ピッチＰとしたときに、１ピッチの長さ及び３ピッチの長さを有している。この中でも、２ピッチ以下の長さである図９中破線の丸Ａで囲んだ第１主線末端線分３８ａは、１ピッチの長さである。
【０１０２】
図５（ｂ）に示すように、断線した１ピッチの第１主線末端線分３８ａ１は、極めて短い。したがって、断線箇所の相対する端部同士が接続や非接続の状態となっても、静電容量の変化が小さくなり、コントローラ３６がこの静電容量の変化を誤検出してしまうことを抑制することができる。
【０１０３】
［センシング電極の構成］
図１０に示すように、複数のセンシング電極３３ＳＰの各々は、複数のセンシング主線３３ＭＬと、複数のセンシング副線３３ＳＬとを備える。センシング副線３３ＳＬの各々は、センシング主線３３ＭＬを並列接続している。また、センシング副線３３ＳＬの第２線方向ＤＬ２の副線間隔は、センシング主線３３ＭＬの第１線方向ＤＬ１の主線間隔ＷＭの６倍となっており、長方形の格子パターンを構成している。すなわち、センシング主線３３ＭＬは、ドライブ主線３１ＭＬと延在方向が相互に異なり、センシング副線３３ＳＬも、ドライブ副線３１ＳＬと延在方向が異なる。一方で、センシング主線３３ＭＬとセンシング副線３３ＳＬとの相対的な位置の関係は、ドライブ主線３１ＭＬとドライブ副線３１ＳＬとの相対的な位置の関係と同様である。
【０１０４】
図１０に示すように、複数のセンシング主線３３ＭＬの各々は、第２線方向ＤＬ２に沿って延びる直線形状を有する線分である。複数のセンシング主線３３ＭＬは、第１電極方向Ｄ１において相互に隣り合う２つの容量検出部ＮＤに跨る線分となっている。また、センシング主線３３ＭＬは、第２電極方向Ｄ２に相互に隣り合う容量検出部ＮＤ間で途切れる線分となっている。
【０１０５】
複数のセンシング副線３３ＳＬは、第１線方向ＤＬ１に沿って延びる直線形状を有する線分であり、副線間隔が６ＷＭとなっている。複数のセンシング副線３３ＳＬの各々は、複数のセンシング主線３３ＭＬを並列に接続している。複数のセンシング主線３３ＭＬを並列に接続するセンシング副線３３ＳＬは、１つの容量検出部ＮＤごとに複数ずつ含まれている。したがって、例えば、図１０において白丸で示すように、センシング主線３３ＭＬの一部に断線が発生しても、センシング副線３３ＳＬと断線したセンシング主線３３ＭＬの隣のセンシング主線３３ＭＬを使用して、白丸部分を迂回する伝経路が構成される。そして、センシング電極３３ＳＰの有する伝送路のうち、迂回された部分を除く部分においては、通常とほぼ同じ抵抗値が得られる。結果として、センシング電極線が第１電極方向Ｄ１に沿って延びる直線形状を有した線分のみからなる構成と比べて、センシング電極３３ＳＰにおける抵抗値が、センシング電極線の一部分における抵抗値の増大によって増大することが抑えられる。
【０１０６】
センシング主線３３ＭＬは、第２電極方向Ｄ２に相互に隣り合う容量検出部ＮＤ間を跨っていない線分を有し、容量検出部ＮＤ間に、第２隙間４３を形成している。このため、第２隙間４３に沿う位置には、センシング主線３３ＭＬとセンシング副線３３ＳＬとが交差する第２交差点４１から先に延びる第２主線末端線分４２ａが形成される。第２主線末端線分４２ａは、ドライブ電極３１ＤＰとセンシング電極３３ＳＰとを重ね合わせたときに形成される単位格子４４ａの一辺を１ピッチＰとしたときに、１ピッチの長さ及び３ピッチの長さを有している。この中でも、２ピッチ以下の長さである図１０中破線の丸Ｂで囲んだ第２主線末端線分４２ａは、１ピッチの長さである。
【０１０７】
図５（ｂ）に示すように、断線した１ピッチの第２主線末端線分４２ａ１は、極めて短い。したがって、断線箇所の相対する端部同士が接続や非接続の状態となっても、静電容量の変化が小さくなり、コントローラ３６がこの静電容量の変化を誤検出してしまうことを抑制することができる。
【０１０８】
［タッチパネル用電極の構成］
図１１に示すように、ドライブ電極３１ＤＰを構成する複数の線分と、センシング電極３３ＳＰを構成する複数の線分とは、四角形状の一例である正方形状を有した単位格子４４ａの繰返しである格子パターン４４を構成している。本実施形態では、ドライブ主線３１ＭＬは、センシング主線３３ＭＬと相互に交差する位置に配置されている。
【０１０９】
ここでは、ドライブ主線３１ＭＬの最小の主線間隔ＷＭとセンシング主線３３ＭＬの最小の主線間隔ＷＭの間隔が等しい。したがって、格子パターン４４を構成する単位格子４４ａは、正方形となる。特に、１ピッチの長さの第１主線末端線分３８ａと第２主線末端線分４２ａは、単位格子４４ａの一辺を構成する。１ピッチの長さの第１主線末端線分３８ａと第２主線末端線分４２ａは、断線箇所の相対する端部同士が接続や非接続の状態となっても、静電容量の変化が小さくなり、コントローラ３６がこの静電容量の変化を誤検出してしまうことを抑制することができる。
【０１１０】
［第３実施形態］
図１２及び図１３を参照して、第３実施形態におけるタッチセンサ用電極、タッチパネル、及び、表示装置を説明する。第３実施形態においては、ドライブ電極線の構成、及び、センシング電極線の構成が、第１実施形態とは主に異なる。以下では、これらの構成の差異を主に説明し、第１実施形態における構成と同様の構成には同じ符号を付して、その説明を省略する。
【０１１１】
［ドライブ電極３１ＤＰ］
図１２に示すように、各ドライブ電極３１ＤＰは、第１電極方向Ｄ１に並ぶ複数のドライブ電極線３１Ｌ、例えば、１５本のドライブ電極線３１Ｌを備える。各ドライブ電極線３１Ｌは、第１電極方向Ｄ１に沿って並ぶ複数の基準パターン３１ＲＰから構成されている。第２電極方向Ｄ２において相互に隣り合う２本のドライブ電極線３１Ｌの間の間隔は、第２電極方向Ｄ２において相互に隣り合う２つのドライブ電極３１ＤＰの間であれ、相互に等しい。
【０１１２】
また、１つのドライブ電極３１ＤＰを構成する１５本のドライブ電極線３１Ｌの各々は、第１電極方向Ｄ１にて相互に隣り合うドライブ電極線３１Ｌに電気的に接続する。
【０１１３】
第１電極方向Ｄ１や第２電極方向Ｄ２の間にある第１線方向ＤＬ１に沿って延びる直線形状を有する線分は、ドライブ主線３１ＭＬである。また、第１電極方向Ｄ１や第２電極方向Ｄ２の間にある第２線方向ＤＬ２に沿って延びる直線形状を有する線分は、ドライブ副線３１ＳＬである。傾きの異なるドライブ主線３１ＭＬとドライブ副線３１ＳＬは、第１電極方向Ｄ１に、交互に互いを接続している。１本のドライブ副線３１ＳＬに対しては、２本のドライブ主線３１ＭＬが反対向きに接続されており、それぞれで第１交差点３７を形成している。ドライブ副線３１ＳＬの第１交差点３７から先に延びる部分は、第１副線末端線分３８ｂとなる。
【０１１４】
［センシング電極３３ＳＰ］
また、センシング電極３３ＳＰは、ドライブ電極３１ＤＰと比べて、センシング電極３３ＳＰを構成する基準パターンの基準方向が第２電極方向Ｄ２である点が異なるものの、センシング電極３３ＳＰの基準パターンの構成は、ドライブ電極３１ＤＰにおける基準パターンの構成と相互に等しい。図１３は、ドライブ電極３１ＤＰとセンシング電極３３ＳＰとが積み重なる方向から見た平面構造を示す平面図である。図１３では、ドライブ電極３１ＤＰを構成する複数のドライブ電極線３１Ｌと、センシング電極３３ＳＰを構成する複数のセンシング電極線３３Ｌとの区別を簡単にするために、ドライブ電極線３１Ｌを相対的に細い線で示す一方、センシング電極線３３Ｌを相対的に太い線で示している。
【０１１５】
具体的に、図１３に示すように、センシング電極３３ＳＰは、第１電極方向Ｄ１に並ぶ複数のセンシング電極線３３Ｌ、例えば、１５本のセンシング電極線３３Ｌを備える。各センシング電極線３３Ｌは、第２電極方向Ｄ２に沿って並ぶ複数の基準パターン３３ＲＰから構成されている。第１電極方向Ｄ１において相互に隣り合う２本のセンシング電極線３３Ｌの間の間隔は、１つのセンシング電極３３ＳＰの内部であれ、第１電極方向Ｄ１において相互に隣り合う２つのセンシング電極３３ＳＰの間であれ、相互に等しい。
【０１１６】
１つのセンシング電極３３ＳＰを構成する１５本のセンシング電極線３３Ｌの各々は、第１電極方向Ｄ１にて相互に隣り合うセンシング電極線３３Ｌに電気的に接続する。
【０１１７】
第２線方向ＤＬ２に沿って延びる直線形状を有する線分は、センシング主線３３ＭＬである。また、第１線方向ＤＬ１に沿って延びる直線形状を有する線分は、センシング副線３３ＳＬである。傾きの異なるセンシング主線３３ＭＬとセンシング副線３３ＳＬは、交互に互いを接続している。１本のセンシング副線３３ＳＬに対しては、２本のセンシング主線３３ＭＬが反対向きに接続されており、第２交差点４１を形成している。センシング副線３３ＳＬの第２交差点４１から先に延びる部分は、第２副線末端線分４２ｂとなる。
【０１１８】
［タッチパネル用電極の構成］
図１３に示すように、ドライブ電極３１ＤＰを構成する複数の線分と、センシング電極３３ＳＰを構成する複数の線分とは、四角形状の一例である正方形状を有した単位格子の繰返しである格子パターン４４を構成している。
【０１１９】
ここでは、図１２及び図１３に示すように、ドライブ副線３１ＳＬの長さは、第１副線末端線分３８ｂの長さＬＤの３倍である。また、ドライブ主線３１ＭＬの長さは、第１副線末端線分３８ｂの長さＬＤの２倍である。図１３に示すように、センシング副線３３ＳＬの長さは、第２副線末端線分４２ｂの長さＳＬの３倍である。また、センシング主線３３ＭＬの長さは、第２副線末端線分４２ｂの長さＳＬの２倍である。また、ドライブ副線３１ＳＬの延長線上に隣接するドライブ電極線３１Ｌのドライブ主線３１ＭＬの中点が位置する。また、センシング副線３３ＳＬの延長線上に隣接するセンシング電極線３３Ｌのセンシング主線３３ＭＬの中点が位置する。そして、第１副線末端線分３８ｂの長さＬＤと第２副線末端線分４２ｂの長さＳＬの長さは等しい。したがって、図１３に示すように、格子パターン４４を構成する単位格子４４ａは、正方形となる。
【０１２０】
特に、１ピッチの長さの第１副線末端線分３８ｂと第２副線末端線分４２ｂは、単位格子４４ａの一辺を構成する。したがって、１ピッチの長さの第１副線末端線分３８ｂとドライブ副線３１ＳＬは、第１交差点３７で断線し、断線箇所の相対する端部同士が接続や非接続の状態となっても、静電容量の変化が小さくなり、コントローラ３６がこの静電容量の変化を誤検出してしまうことを抑制することができる。また、ピッチの長さの第２副線末端線分４２ｂとセンシング副線３３ＳＬは、第２交差点４１で断線し、断線箇所の相対する端部同士が接続や非接続の状態となっても、静電容量の変化が小さくなり、コントローラ３６がこの静電容量の変化を誤検出してしまうことを抑制することができる。
【０１２１】
［第４実施形態］
図１４から図１６を参照して、第４実施形態におけるタッチセンサ用電極、タッチパネル、及び、表示装置を説明する。第４実施形態においては、ドライブ電極線の構成、及び、センシング電極線の構成が、第１実施形態とは主に異なる。以下では、これらの構成の差異を主に説明し、第１実施形態における構成と同様の構成には同じ符号を付して、その説明を省略する。
【０１２２】
［ドライブ電極３１ＤＰ］
図１４に示すように、１つのドライブ電極３１ＤＰは、１つのパッド３１Ｐと、格子形状を有してパッド３１Ｐに接続するドライブ電極帯３１Ｂとを備える。パッド３１Ｐは、第２電極方向Ｄ２に沿って延びる帯形状を有し、パッド３１Ｐにおける第１電極方向Ｄ１に沿った幅はドライブパッド幅ＷＰＤとなっている。
【０１２３】
ドライブ電極帯３１Ｂは、第１電極方向Ｄ１や第２電極方向Ｄ２の間にある第１線方向ＤＬ１に沿って延びる直線形状を有する複数のドライブ主線３１ＭＬと、第１線方向ＤＬ１と直交する第２線方向ＤＬ２に沿って延びる直線形状を有する複数のドライブ副線３１ＳＬとを備える。
【０１２４】
１つのドライブ電極３１ＤＰは、第２電極方向Ｄ２に沿って延びる帯状電極であり、複数のドライブ電極３１ＤＰは、第１電極方向Ｄ１に沿って所定の間隔であるドライブ電極間隔ＧＤＰを空けて並んでいる。
【０１２５】
１つのドライブ電極帯３１Ｂを構成する各ドライブ主線３１ＭＬの延びる方向である第１線方向ＤＬ１は、第１電極方向Ｄ１と所定の角度である対向角度θ１を形成している。対向角度θ１は、例えば４５°である。各ドライブ主線３１ＭＬは、第１電極方向Ｄ１においてドライブパッド幅ＷＰＤで区画された領域の内部にて、第１線方向ＤＬ１に沿って延びている。複数のドライブ主線３１ＭＬでは、第２電極方向Ｄ２において相互に隣り合う２本のドライブ主線３１ＭＬが、第１線方向ＤＬ１と直交する第２線方向ＤＬ２に沿って所定の間隔であるドライブ間隔ＧＤ１を空けて並んでいる。
【０１２６】
１つのドライブ電極帯３１Ｂを構成する複数のドライブ副線３１ＳＬにおいて、各ドライブ副線３１ＳＬの延びる第２線方向ＤＬ２は、第１線方向ＤＬ１と直交し、かつ、第１電極方向Ｄ１と対向角度θ１を形成している。各ドライブ副線３１ＳＬは、第１電極方向Ｄ１においてドライブパッド幅ＷＰＤで区画された領域の内部にて、第２線方向ＤＬ２に沿って延びている。第１電極方向Ｄ１において相互に隣り合う２本のドライブ副線３１ＳＬは、第１線方向ＤＬ１に沿ってドライブ間隔ＧＤ２を空けて並んでいる。ドライブ間隔ＧＤ２は、例えばドライブ間隔ＧＤ１と相互に等しい。
【０１２７】
１つのドライブ電極帯３１Ｂにおいて、各ドライブ主線３１ＭＬは、ドライブ副線３１ＳＬと交差し、かつ、各ドライブ副線３１ＳＬは、ドライブ主線３１ＭＬと交差している。これにより、複数のドライブ主線３１ＭＬ及び複数のドライブ副線３１ＳＬは、矩形形状、ここでは正方形形状を有する複数の単位格子４４Ｄａで構成する格子パターン４４Ｄを形成している。
【０１２８】
互いに隣り合うドライブ電極帯３１Ｂの間は、ＧＤＰの幅を有する第１隙間３９となっており、ドライブ主線３１ＭＬ及びドライブ副線３１ＳＬは途切れている。そして、ドライブ主線３１ＭＬは、第１主線末端線分３８ａとなり、ドライブ副線３１ＳＬは、第１副線末端線分３８ｂとなっている。第１主線末端線分３８ａと第１副線末端線分３８ｂは、ドライブ主線３１ＭＬとドライブ副線３１ＳＬとの第１交差点３７から先の長さが、途切れている分、ＬＤが単位格子４４Ｄａの一辺より短くなっている。
【０１２９】
［センシング電極３３ＳＰ］
図１５に示すように、１つのセンシング電極３３ＳＰは、１つのパッド３３Ｐと、格子形状を有してパッド３３Ｐに接続するセンシング電極帯３３Ｂとを備える。パッド３３Ｐは、第１電極方向Ｄ１に沿って延びる帯形状を有し、パッド３３Ｐにおける第２電極方向Ｄ２に沿った幅はセンシングパッド幅ＷＰＳとなっている。
【０１３０】
センシング電極帯３３Ｂは、第１電極方向Ｄ１や第２電極方向Ｄ２の間にある第２線方向ＤＬ２に沿って延びる直線形状を有する複数のセンシング主線３３ＭＬと、第１線方向ＤＬ１に沿って延びる直線形状を有する複数のセンシング副線３３ＳＬとを備える。
【０１３１】
センシング電極３３ＳＰは、第１電極方向Ｄ１に沿って延びる帯状電極であり、複数のセンシング電極３３ＳＰは、第２電極方向Ｄ２に沿って所定の間隔であるセンシング電極間隔ＧＳＰを空けて並んでいる。
【０１３２】
１つのセンシング電極帯３３Ｂを構成する各センシング主線３３ＭＬの延びる方向である第２線方向ＤＬ２は、第２電極方向Ｄ２と所定の角度である対向角度θ１を形成している。対向角度θ１は、例えば４５°である。各センシング主線３３ＭＬは、第２電極方向Ｄ２においてセンシングパッド幅ＷＰＳで区画された領域の内部にて、第２線方向ＤＬ２に沿って延びている。複数のセンシング主線３３ＭＬでは、第１電極方向Ｄ１において相互に隣り合う２本のセンシング主線３３ＭＬが、第１線方向ＤＬ１に沿って所定の間隔であるセンシング間隔ＧＳ２を空けて並んでいる。
【０１３３】
１つのセンシング電極帯３３Ｂを構成する複数のセンシング副線３３ＳＬにおいて、各センシング副線３３ＳＬの延びる第１線方向ＤＬ１は、第２線方向ＤＬ２と直交し、かつ、第２電極方向Ｄ２と対向角度θ１を形成している。各センシング副線３３ＳＬは、第２電極方向Ｄ２においてセンシングパッド幅ＷＰＳで区画された領域の内部にて、第１線方向ＤＬ１に沿って延びている。第２電極方向Ｄ２において相互に隣り合う２本のセンシング副線３３ＳＬは、第２線方向ＤＬ２に沿ってセンシング間隔ＧＳ１を空けて並んでいる。センシング間隔ＧＳ２は、例えばセンシング間隔ＧＳ１と相互に等しい。
【０１３４】
１つのセンシング電極帯３３Ｂにおいて、各センシング主線３３ＭＬは、センシング副線３３ＳＬと交差し、かつ、各センシング副線３３ＳＬは、センシング主線３３ＭＬと交差している。これにより、複数のセンシング主線３３ＭＬ及び複数のセンシング副線３３ＳＬは、矩形形状を有する複数の単位格子４４ａで構成する格子パターン４４Ｓを形成している。
【０１３５】
互いに隣り合うセンシング電極帯３３Ｂの間は、ＧＳＰの幅を有する第２隙間４３となっており、センシング主線３３ＭＬ及びセンシング副線３３ＳＬは途切れている。そして、センシング主線３３ＭＬは、第２主線末端線分４２ａとなり、センシング副線３３ＳＬは、第２副線末端線分４２ｂとなっている。第２主線末端線分４２ａと第２副線末端線分４２ｂは、センシング主線３３ＭＬとセンシング副線３３ＳＬとの第２交差点４１から先の長さが、途切れている分、ＬＳが単位格子４４Ｓａの一辺より短くなっている。
【０１３６】
［タッチセンサ用電極］
図１６に示すように、複数のドライブ電極３１ＤＰは、平面視において、複数のセンシング電極３３ＳＰと重なっている。１つのドライブ電極３１ＤＰと１つのセンシング電極３３ＳＰとが立体的に交差する領域は、容量検出部ＮＤである。そして、タッチセンサ用電極２１では、ドライブ電極３１ＤＰとセンシング電極３３ＳＰとが積み重なる方向に、静電容量が形成される。
【０１３７】
以上のように、ドライブ電極３１ＤＰの格子パターン４４Ｄとセンシング電極３３ＳＰの格子パターン４４Ｓとは重なる。そして、ドライブ電極３１ＤＰ、及び、センシング電極３３ＳＰの重ならない部位には、ダミーパターン４７が位置している。ダミーパターン４７は、ドライブ電極３１ＤＰの一部であり、センシング電極３３ＳＰには接続していない。
【０１３８】
１ピッチの長さの第１主線末端線分３８ａ及び第１副線末端線分３８ｂは、単位格子４４Ｄａの一辺を構成する。したがって、１ピッチの長さの第１主線末端線分３８ａ及び第１副線末端線分３８ｂは、第１交差点３７で断線し、断線箇所の相対する端部同士が接続や非接続の状態となっても、静電容量の変化が小さくなり、コントローラ３６がこの静電容量の変化を誤検出してしまうことを抑制することができる。
【０１３９】
また、１ピッチの長さの第２主線末端線分４２ａ及び第２副線末端線分４２ｂにあっても、単位格子４４Ｓａの一辺を構成する。したがって、１ピッチの長さの第２主線末端線分４２ａ及び第２副線末端線分４２ｂは、第２交差点４１で断線し、断線箇所の相対する端部同士が接続や非接続の状態となっても、静電容量の変化が小さくなり、コントローラ３６がこの静電容量の変化を誤検出してしまうことを抑制することができる。
【０１４０】
［タッチパネルの変形例］
・図１７に示すように、タッチパネル２０を構成するタッチセンサ用電極２１において、透明基板３１及び透明接着層３２を省略してもよい。こうした構成では、透明誘電体基板３３の面の中で、表示パネル１０と対向する１つの面がドライブ電極面３１Ｓとして設定され、ドライブ電極面３１Ｓには、ドライブ電極３１ＤＰが位置すればよい。そして、透明誘電体基板３３における、ドライブ電極面３１Ｓと対向する面に、センシング電極３３ＳＰが位置すればよい。
【０１４１】
なお、こうした構成において、ドライブ電極３１ＤＰは、例えば、ドライブ電極面３１Ｓに形成される１つの薄膜のパターニングによって形成される。
【０１４２】
・図１８が示すように、タッチパネル２０において、表示パネル１０に近い構成要素から順番に、ドライブ電極３１ＤＰ、透明基板３１、透明接着層３２、透明誘電体基板３３、センシング電極３３ＳＰ、透明接着層２３、カバー層２２が位置してもよい。
【０１４３】
なお、こうした構成において、例えば、ドライブ電極３１ＤＰは、透明基板３１の１つの面であるドライブ電極面３１Ｓに形成され、センシング電極３３ＳＰは、透明誘電体基板３３の１つの面であるセンシング電極面３３Ｓに形成される。そして、透明基板３１においてドライブ電極面３１Ｓと対向する面と、透明誘電体基板３３においてセンシング電極面３３Ｓと対応する面とが、透明接着層３２によって接着される。
【０１４４】
・表示パネル１０とタッチパネル２０とは、個別に形成されていなくともよく、タッチパネル２０は、表示パネル１０と一体に形成されてもよい。こうした構成では、例えば、タッチセンサ用電極２１のうち、複数のドライブ電極３１ＤＰがＴＦＴ層１３に位置する一方、複数のセンシング電極３３ＳＰがカラーフィルタ基板１６と上側偏光板１７との間に位置するインセル型の構成とすることができる。あるいは、タッチセンサ用電極２１がカラーフィルタ基板１６と上側偏光板１７との間に位置するオンセル型の構成でもよい。
【符号の説明】
【０１４５】
Ｄ１…第１電極方向、Ｄ２…第２電極方向、ＮＤ…容量検出部、ＤＬ１…第１線方向、ＤＬ２…第２線方向、Ｐ…ピッチ、１０…表示パネル、１０Ｓ…表示領域、１０Ｄ…検出領域、１１…下側偏光板、１２…薄膜トランジスタ基板、１３…ＴＦＴ層、１４…液晶層、１５…カラーフィルタ層、１５ａ…ブラックマトリクス、１５Ｐ…画素、１６…カラーフィルタ基板、１７…上側偏光板、２０…タッチパネル、２０Ｓ…操作面、２１…タッチセンサ用電極、２２…カバー層、２３…透明接着層、３１…透明基板、３１ＤＰ…ドライブ電極、３１ＭＬ…ドライブ主線、３１ＳＬ…ドライブ副線、３３…透明誘電体基板、３３ＳＰ…センシング電極、３３ＭＬ…センシング主線、３３ＳＬ…センシング副線、３４…選択回路、３５…検出回路、３６…コントローラ、３７…第１交差点、３８ａ…第１主線末端線分、３８ｂ…第１副線末端線分、３９…第１隙間、４１…第２交差点、４２ａ…第２主線末端線分、４２ｂ…第２副線末端線分、４３…第２隙間、４４…格子パターン、４４ａ…単位格子、４５…外周部、４６…操作領域、４７…ダミーパターン。
【図１】
0006534807.tif 000002
【図２】
0006534807.tif 000003
【図３】
0006534807.tif 000004
【図４】
0006534807.tif 000005
【図５】
0006534807.tif 000006
【図６】
0006534807.tif 000007
【図７】
0006534807.tif 000008
【図８】
0006534807.tif 000009
【図９】
0006534807.tif 000010
【図１０】
0006534807.tif 000011
【図１１】
0006534807.tif 000012
【図１２】
0006534807.tif 000013
【図１３】
0006534807.tif 000014
【図１４】
0006534807.tif 000015
【図１５】
0006534807.tif 000016
【図１６】
0006534807.tif 000017
【図１７】
0006534807.tif 000018
【図１８】
0006534807.tif 000019